【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
長手方向に複数の溝処理が施された表面を備え、トナーと磁性キャリアを含む現像剤を担持搬送して、像担持体に形成された潜像を現像する現像剤担持体と、
前記現像剤担持体の内部に設けられ、前記現像剤担持体の表面に現像剤を担持させるためのマグネットと、
前記現像剤担持体に対して間隔を設けて配置され、前記現像剤担持体に担持される現像剤量を規制する非磁性の規制部材と、を備えた現像装置において、
前記規制部材を通過した後に前記現像剤剤担持体の単位面積当たりにコートされている現像剤量をＭ／Ｓ（ｍｇ／ｍｍ２）、前記規制部材の先端と前記現像剤担持体との隙間をＳＢ（ｍｍ）、現像剤の比重をＧ（ｍｇ／ｍｍ３）、前記現像剤担持体の表面における溝の占める溝比率α、前記溝の深さＤ（ｍｍ）、とした場合に、以下の関係式を満たすように前記溝比率αが設定されていることを特徴とする現像装置。
０．０２９≦Ｍ／Ｓ（ｍｇ／ｍｍ２）／Ｇ（ｍｇ／ｍｍ３）≦０．１４０．２≦ＳＢ（ｍｍ）
Ｍ／Ｓ（ｍｇ／ｍｍ２）×１／４≦α×｛ＳＢ（ｍｍ）＋Ｄ（ｍｍ）｝×Ｇ（ｍｇ／ｍｍ３）＜Ｍ／Ｓ（ｍｇ／ｍｍ２）
【請求項２】
α×｛ＳＢ（ｍｍ）＋Ｄ（ｍｍ）｝×Ｇ（ｍｇ／ｍｍ３）＜（Ｍ／Ｓ）（ｍｇ／ｍｍ２）×２３／３０を満たすように前記溝比率αが設定されていることを特徴とする請求項１記載の現像装置。
【請求項３】
α×｛ＳＢ（ｍｍ）＋Ｄ（ｍｍ）｝×Ｇ（ｍｇ／ｍｍ３）＜（Ｍ／Ｓ）（ｍｇ／ｍｍ２）×１９／３０を満たすように前記溝比率αが設定されていることを特徴とする請求項１記載の現像装置。
【請求項４】
α×｛ＳＢ（ｍｍ）＋Ｄ（ｍｍ）｝×Ｇ（ｍｇ／ｍｍ３）＜（Ｍ／Ｓ）（ｍｇ／ｍｍ２）×１６／３０を満たすように前記溝比率αが設定されていることを特徴とする請求項１記載の現像装置。
【請求項５】
α×｛ＳＢ（ｍｍ）＋Ｄ（ｍｍ）｝×Ｇ（ｍｇ／ｍｍ３）＜（Ｍ／Ｓ）（ｍｇ／ｍｍ２）×１／２を満たすように前記溝比率αが設定されていることを特徴とする請求項１記載の現像装置。
【請求項６】
上記現像剤担持体の表面に長手方向に延びる複数の溝は前記現像剤担持体の表面に幅Ｗで、一定周期Ｐで設けられており、
上記溝比率α＝Ｗ／Ｐであることを特徴とする請求項１乃至５のいずれかに記載の現像装置。
【請求項７】
上記規制部材の上記現像剤担持体に対向する面を２本以上の溝が同時に通過することがないことを特徴とする請求項１乃至６のいずれかに記載の現像装置。
【請求項８】
前記磁性キャリアの半径をＲ（ｍｍ）とし、前記溝の幅をＷ（ｍｍ）、としたとき、以下の関係式を満たすことを特徴とする請求項１乃至７のいずれかに記載の現像装置。
２Ｒ＜Ｗ＜２０Ｒ
Ｒ＜Ｄ
【請求項９】
前記キャリアの磁化量が２１０ｅｍｕ／ｃｍ３以下であることを特徴とする請求項１乃至８のいずれかに記載の現像装置。
【請求項１０】
前記溝は断面がＶ字形状であることを特徴とする請求項１乃至９のいずれかに記載の現像装置。
【請求項１１】
０．３≦ＳＢ（ｍｍ）であることを特徴とする請求項１乃至１０のいずれかに記載の現像装置。
【請求項１２】
α＜０．１１であることを特徴とする請求項１乃至１１のいずれかに記載の現像装置。
【請求項１３】
０．０４＜αであることを特徴とする請求項１乃至１２のいずれかに記載の現像装置。
【請求項１４】
０．０６＜αであることを特徴とする請求項１乃至１２のいずれかに記載の現像装置。
【請求項１５】
０．０８＜αであることを特徴とする請求項１乃至１２のいずれかに記載の現像装置。
【請求項１６】
α＜０．２２であることを特徴とする請求項１乃至１５のいずれかに記載の現像装置。
【請求項１７】
α＜０．１６であることを特徴とする請求項１乃至１５のいずれかに記載の現像装置。
【請求項１８】
α＜０．１０であることを特徴とする請求項１乃至１５のいずれかに記載の現像装置。
【請求項１９】
０．１５≦Ｍ／Ｓ（ｍｇ／ｍｍ２）≦０．４５であることを特徴とする請求項１乃至１８のいずれかに記載の現像装置。
【請求項２０】
長手方向に複数の溝処理が施された表面を備え、トナーと磁性キャリアを含む現像剤を担持搬送して、像担持体に形成された潜像を現像する現像剤担持体と、
前記現像剤担持体の内部に設けられ、前記現像剤担持体の表面に現像剤を担持させるためのマグネットと、
前記現像剤担持体に対して間隔を設けて配置され、前記現像剤担持体に担持される現像剤量を規制する非磁性の規制部材と、
前記規制部材を通過した後に前記現像剤剤担持体の単位面積当たりにコートされている現像剤量をＭ／Ｓ（ｍｇ／ｍｍ２）、前記規制部材の先端と前記現像剤担持体との隙間をＳＢ（ｍｍ）、現像剤の比重をＧ（ｍｇ／ｍｍ３）、前記現像剤担持体の表面における溝の占める溝比率α、前記溝の深さＤ（ｍｍ）、とした場合に、以下の関係式を満たすように前記溝比率αが設定されていることを特徴とする現像装置。
０．１≦Ｍ／Ｓ（ｍｇ／ｍｍ２）≦０．５
０．２≦ＳＢ（ｍｍ）
Ｍ／Ｓ（ｍｇ／ｍｍ２）×１／４≦α×｛ＳＢ（ｍｍ）＋Ｄ（ｍｍ）｝×Ｇ（ｍｇ／ｍｍ３）＜Ｍ／Ｓ（ｍｇ／ｍｍ２）×１／２
【請求項２１】
上記現像剤担持体の表面に長手方向に延びる複数の溝は前記現像剤担持体の表面に幅Ｗで、一定周期Ｐで設けられており、
上記溝比率α＝Ｗ／Ｐであることを特徴とする請求項２０に記載の現像装置。
【請求項２２】
上記規制部材の上記現像剤担持体に対向する面を２本以上の溝が同時に通過することがないことを特徴とする請求項２０または２１に記載の現像装置。
【請求項２３】
前記磁性キャリアの半径をＲ（ｍｍ）とし、前記溝の幅をＷ（ｍｍ）、としたとき、以下の関係式を満たすことを特徴とする請求項２０乃至２２のいずれかに記載の現像装置。
２Ｒ＜Ｗ＜２０Ｒ
Ｒ＜Ｄ
【請求項２４】
前記キャリアの磁化量が２１０ｅｍｕ／ｃｍ３以下であることを特徴とする請求項２０乃至２３のいずれかに記載の現像装置。
【請求項２５】
前記溝は断面がＶ字形状であることを特徴とする請求項２０乃至２４のいずれかに記載の現像装置。
【請求項２６】
０．３≦ＳＢ（ｍｍ）であることを特徴とする請求項２０乃至２５のいずれかに記載の現像装置。
【請求項２７】
α＜０．１０であることを特徴とする請求項２０乃至２６のいずれかに記載の現像装置。
【請求項２８】
α＜０．１１であることを特徴とする請求項２０乃至２６のいずれかに記載の現像装置。
【請求項２９】
α＜０．１６であることを特徴とする請求項２０乃至２６のいずれかに記載の現像装置。
【請求項３０】
０．０４＜αであることを特徴とする請求項２０乃至２８のいずれかに記載の現像装置。
【請求項３１】
０．０６＜αであることを特徴とする請求項２０乃至２８のいずれかに記載の現像装置。
【請求項３２】
０．０８＜αであることを特徴とする請求項２０乃至２８のいずれかに記載の現像装置。
【請求項３３】
０．１５≦Ｍ／Ｓ（ｍｇ／ｍｍ２）≦０．４５であることを特徴とする請求項２０乃至３２のいずれかに記載の現像装置。
【手続補正２】
【補正対象書類名】明細書
【補正対象項目名】００１５
【補正方法】変更
【補正の内容】
【００１５】
長手方向に複数の溝処理が施された表面を備え、トナーと磁性キャリアを含む現像剤を担持搬送して、像担持体に形成された潜像を現像する現像剤担持体と、
前記現像剤担持体の内部に設けられ、前記現像剤担持体の表面に現像剤を担持させるためのマグネットと、
前記現像剤担持体に対して間隔を設けて配置され、前記現像剤担持体に担持される現像剤量を規制する非磁性の規制部材と、を備えた現像装置において、
前記規制部材を通過した後に前記現像剤剤担持体の単位面積当たりにコートされている現像剤量をＭ／Ｓ（ｍｇ／ｍｍ２）、前記規制部材の先端と前記現像剤担持体との隙間をＳＢ（ｍｍ）、現像剤の比重をＧ（ｍｇ／ｍｍ３）、前記現像剤担持体の表面における溝の占める溝比率α、前記溝の深さＤ（ｍｍ）、とした場合に、以下の関係式を満たすように前記溝比率αが設定されていることを特徴とする。
０．０２９≦Ｍ／Ｓ（ｍｇ／ｍｍ２）／Ｇ（ｍｇ／ｍｍ３）≦０．１４０．２≦ＳＢ（ｍｍ）
Ｍ／Ｓ（ｍｇ／ｍｍ２）×１／４≦α×｛ＳＢ（ｍｍ）＋Ｄ（ｍｍ）｝×Ｇ（ｍｇ／ｍｍ３）＜Ｍ／Ｓ（ｍｇ／ｍｍ２）
【手続補正３】
【補正対象書類名】明細書
【補正対象項目名】００１６
【補正方法】変更
【補正の内容】
【００１６】
長手方向に複数の溝処理が施された表面を備え、トナーと磁性キャリアを含む現像剤を担持搬送して、像担持体に形成された潜像を現像する現像剤担持体と、
前記現像剤担持体の内部に設けられ、前記現像剤担持体の表面に現像剤を担持させるためのマグネットと、
前記現像剤担持体に対して間隔を設けて配置され、前記現像剤担持体に担持される現像剤量を規制する非磁性の規制部材と、
前記規制部材を通過した後に前記現像剤剤担持体の単位面積当たりにコートされている現像剤量をＭ／Ｓ（ｍｇ／ｍｍ２）、前記規制部材の先端と前記現像剤担持体との隙間をＳＢ（ｍｍ）、現像剤の比重をＧ（ｍｇ／ｍｍ３）、前記現像剤担持体の表面における溝の占める溝比率α、前記溝の深さＤ（ｍｍ）、とした場合に、以下の関係式を満たすように前記溝比率αが設定されていることを特徴とする。
０．１≦Ｍ／Ｓ（ｍｇ／ｍｍ２）≦０．５
０．２≦ＳＢ（ｍｍ）
Ｍ／Ｓ（ｍｇ／ｍｍ２）×１／４≦α×｛ＳＢ（ｍｍ）＋Ｄ（ｍｍ）｝×Ｇ（ｍｇ／ｍｍ３）＜Ｍ／Ｓ（ｍｇ／ｍｍ２）×１／２